【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
少なくとも１つのＥＣＧ記録の少なくとも１つの誘導により取り込まれる場合のユーザの心臓活動に関連する少なくとも１つの生体信号に基づいてユーザの不整脈に関係する心拍を解析及び分類するための方法であって、以下のステップ：
少なくとも１つのコンピューティングデバイス上のメモリに常駐するユーザアプリケーションを実装するステップであって、前記少なくとも１つのコンピューティングデバイスは、複数の心拍を表す少なくとも１つのＥＣＧ記録を格納する少なくとも１つの比較データベースと選択的に通信し、各前記ＥＣＧ記録は、各表される心拍に関連する時間位置及び拍動クラスを備える、ステップ；
ユーザの心臓活動に関連する少なくとも１つの誘導に対応するリアルタイム行列を構築するステップであって、前記リアルタイム行列の少なくとも１つの行のそれぞれは、前記少なくとも１つの誘導の連続する少なくとも１つの心拍を表し、前記リアルタイム行列の少なくとも１つの列のそれぞれは、前記少なくとも１つの心拍の特徴を表す、ステップ；
前記少なくとも１つの誘導を所定の時間的長さの複数のセグメントへ分割するステップ；
前記複数のセグメント中の各々のセグメントに関して：
拍動行列を定義するステップであって、前記拍動行列の少なくとも１つの行のそれぞれは、前記セグメントの連続する少なくとも１つの心拍を表し、前記拍動行列の少なくとも１つの列のそれぞれは、前記少なくとも１つの心拍の時間位置の付近でとった前記ＥＣＧ記録の少なくとも１つのサンプルを表す、ステップ；
拍動行列を前記拍動行列のすべての行が平均値０及び標準偏差１を有するように正規化するステップ；
前記セグメント内の少なくとも１つの心拍のそれぞれに関して：
前記心拍に関する行を前記リアルタイム行列に追加するステップ；
リアルタイム行列の第１の列に、前記心拍と直前に先行する心拍との間の拍動間隔をポピュレートするステップ；
リアルタイム行列の第２の列に、前記心拍と直後に後続する心拍との間の拍動間隔をポピュレートするステップ；
リアルタイム行列の第３の列に、前記心拍に対する所定数の先行及び後続する心拍にわたって計算した間隔平均値をポピュレートするステップ；
リアルタイム行列の第４の列に、前記心拍に対応する正規化された拍動行列の行の二乗の平均をポピュレートするステップ；
リアルタイム行列の第５の列に、前記心拍に対応する正規化された拍動行列の行の導関数の二乗の平均をポピュレートするステップ；
第４の列の値と第５の列の値との相対的に最も低い比を有する正規化された拍動行列の行間の平均を計算することにより基準拍動を決定するステップ；
リアルタイム行列の第６の列に、基準拍動の二乗の平均をポピュレートするステップ；
リアルタイム行列の第７の列に、基準拍動の導関数の二乗の平均をポピュレートするステップ；
リアルタイム行列の第８の列に、基準拍動と前記心拍に対応する拍動行列の行との相関係数をポピュレートするステップ；
リアルタイム行列の第９の列に、基準拍動の導関数と前記心拍に対応する拍動行列の行の導関数との相関係数をポピュレートするステップ；
リアルタイム行列の第１０の列に、基準拍動の二乗と前記心拍に対応する拍動行列の行の二乗との相関係数をポピュレートするステップ；
リアルタイム行列の第１１の列に、基準拍動の導関数の二乗と前記心拍に対応する拍動行列の行の導関数の二乗との相関係数をポピュレートするステップ；
リアルタイム行列を、前記少なくとも１つのコンピューティングデバイスと選択的に通信する少なくとも１つの分類器に送信するステップ； 
前記セグメントが不整脈に関係する心拍を含むかどうかを判定するステップ；
を含む、方法。
【請求項２】
前記誘導を複数のセグメントへ分割するステップが、前記誘導を所定の時間的長さの複数の重複しないセグメントへ分割するステップをさらに含む、請求項１に記載の方法。
【請求項３】
前記誘導を複数のセグメントへ分割するステップが、前記誘導を所定の時間的長さの複数の重複するセグメントへ分割するステップをさらに含み、各セグメントは所定の頻度で取り込まれる、請求項１に記載の方法。
【請求項４】
前記誘導を複数のセグメントへ分割するステップが、前記複数のセグメント中の各々のセグメントに関して：
所与のセグメントの少なくとも１つの拍動間隔値の平均値を計算するステップ；
前記所与のセグメントの計算した拍動間隔の平均値の所定のパーセンテージに等しくなるように直後に後続するセグメントの長さを調節するステップ；
をさらに含む、請求項１に記載の方法。
【請求項５】
前記少なくとも１つの分類器をトレーニングするステップをさらに含む、請求項１に記載の方法。
【請求項６】
前記少なくとも１つの比較データベースのそれぞれに関して：
前記比較データベースに格納された少なくとも１つのＥＣＧ記録のそれぞれに関して：
前記ＥＣＧ記録の少なくとも１つの誘導のそれぞれに関して：
誘導行列を定義するステップであって、前記誘導行列の少なくとも１つの行のそれぞれは、前記ＥＣＧ記録の連続する少なくとも１つの心拍を表し、前記誘導行列の少なくとも１つの列のそれぞれは、前記少なくとも１つの心拍の特徴を表す、ステップ；
前記誘導を所定の時間的長さの複数のセグメントへ分割するステップ；
前記複数のセグメント中の各々のセグメントに関して：
拍動行列を定義するステップであって、前記拍動行列の少なくとも１つの行のそれぞれは、前記セグメントの連続する少なくとも１つの心拍を表し、前記拍動行列の少なくとも１つの列のそれぞれは、前記少なくとも１つの心拍の時間位置の付近でとった前記ＥＣＧ記録の少なくとも１つのサンプルを表す、ステップ；
拍動行列を前記拍動行列のすべての行が平均値０及び標準偏差１を有するように正規化するステップ；
前記セグメント内の少なくとも１つの心拍のそれぞれに関して：
前記心拍に関する行を前記誘導行列に追加するステップ；
誘導行列の第１の列に、前記心拍と直前に先行する心拍との間の拍動間隔をポピュレートするステップ；
誘導行列の第２の列に、前記心拍と直後に後続する心拍との間の拍動間隔をポピュレートするステップ；
誘導行列の第３の列に、前記心拍に対する所定数の先行及び後続する心拍にわたって計算した間隔平均値をポピュレートするステップ；
誘導行列の第４の列に、前記心拍に対応する正規化された拍動行列の行の二乗の平均をポピュレートするステップ；
誘導行列の第５の列に、前記心拍に対応する正規化された拍動行列の行の導関数の二乗の平均をポピュレートするステップ；
第４の列の値と第５の列の値との相対的に最も低い比を有する正規化された拍動行列の行間の平均を計算することにより基準拍動を決定するステップ；
誘導行列の第６の列に、基準拍動の二乗の平均をポピュレートするステップ；
誘導行列の第７の列に、基準拍動の導関数の二乗の平均をポピュレートするステップ；
誘導行列の第８の列に、基準拍動と前記心拍に対応する拍動行列の行との相関係数をポピュレートするステップ；
誘導行列の第９の列に、基準拍動の導関数と前記心拍に対応する拍動行列の行の導関数との相関係数をポピュレートするステップ；
誘導行列の第１０の列に、基準拍動の二乗と前記心拍に対応する拍動行列の行の二乗との相関係数をポピュレートするステップ；
誘導行列の第１１の列に、基準拍動の導関数の二乗と前記心拍に対応する拍動行列の行の導関数の二乗との相関係数をポピュレートするステップ；
少なくとも１つの誘導行列のそれぞれを、前記比較データベースに格納された少なくとも１つのＥＣＧ記録に関連した単一のＥＣＧ行列へマージするステップ；
をさらに含む、請求項５に記載の方法。
【請求項７】
前記比較データベースに格納された少なくとも１つのＥＣＧ記録のそれぞれに関して：
前記ＥＣＧ記録を適切な共通のサンプリングレートにリサンプリングするステップ；
前記ＥＣＧ記録の各表される心拍に関連する時間位置を時間単位に変換するステップ；
前記ＥＣＧ記録の各表される心拍に関連する拍動クラスをバイナリ値に変換するステップ；
をさらに含む、請求項６に記載の方法。
【請求項８】
前記ＥＣＧ記録の各表される心拍に関連する拍動クラスをバイナリ値に変換するステップが：
所与の心拍が上室性を有すると判定すると、前記心拍に関する拍動クラスに０のバイナリ値を割り当てるステップ；
所与の心拍が心室性を有すると判定すると、前記心拍に関する拍動クラスに１のバイナリ値を割り当てるステップ；
をさらに含む、請求項７に記載の方法。
【請求項９】
前記リアルタイム行列の第３の列にポピュレートするステップが、前記心拍に対する先行する１０心拍及び後続する１０心拍にわたって計算した間隔平均値を第３の列にポピュレートするステップをさらに含む、請求項１に記載の方法。
【請求項１０】
前記誘導行列の第３の列にポピュレートするステップが、前記心拍に対する先行する１０心拍及び後続する１０心拍にわたって計算した間隔平均値を第３の列にポピュレートするステップをさらに含む、請求項６に記載の方法。
【請求項１１】
前記拍動行列を定義するステップが、前記少なくとも１つの心拍の時間位置の付近の５２０ミリ秒のウィンドウ内でとった前記ＥＣＧ記録の少なくとも１つのサンプルを拍動行列の列にポピュレートするステップをさらに含む、請求項１に記載の方法。
【請求項１２】
前記拍動行列を定義するステップが、前記少なくとも１つの心拍の時間位置の前にとった前記ＥＣＧ記録の３０サンプル及び前記少なくとも１つの心拍の時間位置の後にとった前記ＥＣＧ記録の６０サンプルを拍動行列の列にポピュレートするステップをさらに含む、請求項１１に記載の方法。
【請求項１３】
前記拍動行列を定義するステップが、前記少なくとも１つの心拍の時間位置の付近の５２０ミリ秒のウィンドウ内でとった前記ＥＣＧ記録の少なくとも１つのサンプルを拍動行列の列にポピュレートするステップをさらに含む、請求項６に記載の方法。
【請求項１４】
前記拍動行列を定義するステップが、前記少なくとも１つの心拍の時間位置の前にとった前記ＥＣＧ記録の３０サンプル及び前記少なくとも１つの心拍の時間位置の後にとった前記ＥＣＧ記録の６０サンプルを拍動行列の列にポピュレートするステップをさらに含む、請求項１３に記載の方法。
【請求項１５】
前記リアルタイム行列の第６の列にポピュレートするステップが、５２０ミリ秒のウィンドウにわたる基準拍動の二乗の平均を第６の列にポピュレートするステップをさらに含む、請求項１に記載の方法。
【請求項１６】
前記誘導行列の第６の列にポピュレートするステップが、５２０ミリ秒のウィンドウにわたる基準拍動の二乗の平均を第６の列にポピュレートするステップをさらに含む、請求項６に記載の方法。
【請求項１７】
前記リアルタイム行列の第７の列にポピュレートするステップが、５２０ミリ秒のウィンドウにわたる基準拍動の導関数の二乗の平均を第７の列にポピュレートするステップをさらに含む、請求項１に記載の方法。
【請求項１８】
前記誘導行列の第７の列にポピュレートするステップが、５２０ミリ秒のウィンドウにわたる基準拍動の導関数の二乗の平均を第７の列にポピュレートするステップをさらに含む、請求項６に記載の方法。
【請求項１９】
少なくとも１つのＥＣＧ記録の少なくとも１つの誘導により取り込まれる場合のユーザの心臓活動に関連する少なくとも１つの生体信号に基づいてユーザの不整脈に関係する心拍を解析及び分類するための方法であって、以下のステップ：
少なくとも１つのコンピューティングデバイス上のメモリに常駐するユーザアプリケーションを実装するステップであって、前記少なくとも１つのコンピューティングデバイスは、複数の心拍を表す少なくとも１つのＥＣＧ記録を格納する少なくとも１つの比較データベースと選択的に通信し、各前記ＥＣＧ記録は、各表される心拍に関連する時間位置及び拍動クラスを備える、ステップ；
ユーザの心臓活動に関連する少なくとも１つの誘導に対応するリアルタイム行列を構築するステップであって、前記リアルタイム行列の少なくとも１つの行のそれぞれは、前記少なくとも１つの誘導の連続する少なくとも１つの心拍を表し、前記リアルタイム行列の少なくとも１つの列のそれぞれは、前記少なくとも１つの心拍の特徴を表す、ステップ；
前記少なくとも１つの誘導を所定の時間的長さの複数のセグメントへ分割するステップ；
前記複数のセグメント中の各々のセグメントに関して：
拍動行列を定義するステップであって、前記拍動行列の少なくとも１つの行のそれぞれは、前記セグメントの連続する少なくとも１つの心拍を表し、前記拍動行列の少なくとも１つの列のそれぞれは、前記少なくとも１つの心拍の時間位置の付近でとった前記ＥＣＧ記録の少なくとも１つのサンプルを表す、ステップ；
拍動行列を前記拍動行列のすべての行が平均値０及び標準偏差１を有するように正規化するステップ；
前記セグメント内の少なくとも１つの心拍のそれぞれに関して：
前記心拍に関する行をリアルタイム行列に追加するステップ；
リアルタイム行列の第１の列に、前記心拍と直前に先行する心拍との間の拍動間隔をポピュレートするステップ；
リアルタイム行列の第２の列に、前記心拍と直後に後続する心拍との間の拍動間隔をポピュレートするステップ；
リアルタイム行列の第３の列に、前記心拍に対する所定数の先行及び後続する心拍にわたって計算した間隔平均値をポピュレートするステップ；
リアルタイム行列の第４の列に、前記心拍に対応する正規化された拍動行列の行の二乗の平均をポピュレートするステップ；
リアルタイム行列の第５の列に、前記心拍に対応する正規化された拍動行列の行の導関数の二乗の平均をポピュレートするステップ；
第４の列の値と第５の列の値との相対的に最も低い比を有する正規化された拍動行列の行間の平均を計算することにより基準拍動を決定するステップ；
リアルタイム行列の第６の列に、基準拍動の二乗の平均をポピュレートするステップ；
リアルタイム行列の第７の列に、基準拍動の導関数の二乗の平均をポピュレートするステップ；
リアルタイム行列の第８の列に、基準拍動と前記心拍に対応する拍動行列の行との相関係数をポピュレートするステップ；
リアルタイム行列の第９の列に、基準拍動の導関数と前記心拍に対応する拍動行列の行の導関数との相関係数をポピュレートするステップ；
リアルタイム行列の第１０の列に、基準拍動の二乗と前記心拍に対応する拍動行列の行の二乗との相関係数をポピュレートするステップ；
リアルタイム行列の第１１の列に、基準拍動の導関数の二乗と前記心拍に対応する拍動行列の行の導関数の二乗との相関係数をポピュレートするステップ；
リアルタイム行列を、前記少なくとも１つのコンピューティングデバイスと選択的に通信する少なくとも１つの分類器に送信するステップ；
前記セグメントが不整脈に関係する心拍を含むかどうかを判定するステップ；
前記セグメントの少なくとも１つの拍動間隔値の平均値を計算するステップ；
前記セグメントの計算した拍動間隔の平均値の所定のパーセンテージに等しくなるように直後に後続するセグメントの長さを調節するするステップ；
を含む、方法。
【請求項２０】
少なくとも１つのＥＣＧ記録の少なくとも１つの誘導により取り込まれる場合のユーザの心臓活動に関連する少なくとも１つの生体信号に基づいてユーザの上室性異所性心拍及び心室性異所性心拍を解析及び分類するための不整脈検出システムであって、
少なくとも１つのコンピューティングデバイスを備え、前記少なくとも１つのコンピューティングデバイスは、複数の心拍を表す少なくとも１つのＥＣＧ記録を格納する少なくとも１つの比較データベースと選択的に通信し、各前記ＥＣＧ記録は、各表される心拍に関連する時間位置及び拍動クラスを備え、
前記少なくとも１つのコンピューティングデバイスがさらに、
ユーザの心臓活動に関連する少なくとも１つの誘導に対応するリアルタイム行列を構築し、前記リアルタイム行列の少なくとも１つの行のそれぞれは、前記少なくとも１つの誘導の連続する少なくとも１つの心拍を表し、前記リアルタイム行列の少なくとも１つの列のそれぞれは、前記少なくとも１つの心拍の特徴を表し、
前記少なくとも１つの誘導を所定の時間的長さの複数のセグメントへ分割し、
前記複数のセグメント中の各々のセグメントに関して：
拍動行列を定義し、前記拍動行列の少なくとも１つの行のそれぞれは、前記セグメントの連続する少なくとも１つの心拍を表し、前記拍動行列の少なくとも１つの列のそれぞれは、前記少なくとも１つの心拍の時間位置の付近でとった前記ＥＣＧ記録の少なくとも１つのサンプルを表し、
拍動行列を前記拍動行列のすべての行が平均値０及び標準偏差１を有するように正規化し、
前記セグメント内の少なくとも１つの心拍のそれぞれに関して：
前記心拍に関する行をリアルタイム行列に追加し、
リアルタイム行列の第１の列に、前記心拍と直前に先行する心拍との間の拍動間隔をポピュレートし、
リアルタイム行列の第２の列に、前記心拍と直後に後続する心拍との間の拍動間隔をポピュレートし、
リアルタイム行列の第３の列に、前記心拍に対する所定数の先行及び後続する心拍にわたって計算した間隔平均値をポピュレートし、
リアルタイム行列の第４の列に、前記心拍に対応する正規化された拍動行列の行の二乗の平均をポピュレートし、
リアルタイム行列の第５の列に、前記心拍に対応する正規化された拍動行列の行の導関数の二乗の平均をポピュレートし、
第４の列の値と第５の列の値との相対的に最も低い比を有する正規化された拍動行列の行間の平均を計算することにより基準拍動を決定し、
リアルタイム行列の第６の列に、基準拍動の二乗の平均をポピュレートし、
リアルタイム行列の第７の列に、基準拍動の導関数の二乗の平均をポピュレートし、
リアルタイム行列の第８の列に、基準拍動と前記心拍に対応する拍動行列の行との相関係数をポピュレートし、
リアルタイム行列の第９の列に、基準拍動の導関数と前記心拍に対応する拍動行列の行の導関数との相関係数をポピュレートし、
リアルタイム行列の第１０の列に、基準拍動の二乗と前記心拍に対応する拍動行列の行の二乗との相関係数をポピュレートし、
リアルタイム行列の第１１の列に、基準拍動の導関数の二乗と前記心拍に対応する拍動行列の行の導関数の二乗との相関係数をポピュレートし、
リアルタイム行列を、前記少なくとも１つのコンピューティングデバイスと選択的に通信する少なくとも１つの分類器に送信し、
前記セグメントが不整脈に関係する心拍を含むかどうかを判定する、
ように構成される、システム。